(57)【要約】【課題】  板戸への別部材としての取手等の取付け加工の負担を軽減し、折戸の開閉をより小さな力でも簡便、かつ容易に行うことができ、また、すっきりとした外観とする。【解決手段】折戸連結部４において、開閉のための手掛り部５Ａを有する縦側縁５が戸板１Ａ，１Ｂの少くとも一方の木口の設けられており、前記手掛り部５Ａは、他方の戸板木口に対向する凹部を有しているものとする。【選択図】図１
2006226079.tif 000002
【特許請求の範囲】
【請求項１】
折戸連結部において、開閉のための手掛り部を有する縦側縁が少くとも一方の戸板木口に設けられており、前記手掛り部は、他方の戸板木口に対向する凹部を有していることを特徴とする折戸構造。
【請求項２】
手掛り部を有する縦側縁には、他方の戸板木口、もしくは相互に当接または近接対向する弾性体が設けられていることを特徴とする請求項１の折戸構造。
【請求項３】
手掛り部の凹部は湾曲し、凹部の折戸表側に指係止用のくぼみを有していることを特徴とする請求項１または２の折戸構造。
【請求項４】
縦側縁は、戸板側端部を挾持し、その戸板背面側で蝶番を固定していることを特徴とする請求項１から３のうちのいずれかの折戸構造。
【発明の詳細な説明】
【技術分野】
【０００１】
本願発明はクローゼット等の扉や間仕切として有用な折戸構造に関するものである。
【背景技術】
【０００２】
従来より、クローゼット等の扉や間仕切として折戸が用いられてきている。この折戸は隣接する板戸が蝶番によって折り畳み可能に連結されて開閉自在とされている。
【０００３】
これらの折戸については、板戸の連結部に取手を設けて手指による開閉操作を容易とするための工夫がなされてきている。たとえば、図５に示したように、隣接する板戸１Ａ、１Ｂを蝶番２をもって折り畳み可能とした折戸の構造において、連結部の一方の板戸１Ａの外側（表側）に把持可能な取手３を設けたもの（特許文献１）や、図６のように、同様に連結部の一方の板戸１Ｂの外側（表側）にリング状の取手３を設けたもの（特許文献２）、あるいは連結部に装着した回転軸から板戸表側に突出させた把持可能な取手を設けたもの（特許文献３）が知られている。
【０００４】
しかしながら、これら従来の取手を設けた折戸構造の場合には、パネル等による板戸の構成とは全く別の部材としての取手や回転軸等の取付け加工が必要であるとともに、把持可能とされた取手は板戸から外側（表側）に突出させているため、どうしても連結部センター位置と取手の位置とのズレが大きくなることから折戸の開閉に必要な引張り、押し込みのための力の負担が大きいという問題があった。
【０００５】
また、従来の折戸の場合には、表側に突出した取手の存在によって折戸をすっきりとした外観とすることが難しいという問題があった。そして、さらには、蝶番を介した連結部では指をはさむと傷つけやすく、連結部での隙間から戸板の背面側が透けて見えやすいという問題があるが、従来の折戸の構造ではこれら問題への対策が容易ではなかった。
【特許文献１】特開平１０−２９９２９９号公報
【特許文献２】特開２００３−７４２２１号公報
【特許文献３】特開２００３−２７８４１２号公報
【発明の開示】
【発明が解決しようとする課題】
【０００６】
本願発明は、上記のとおりの背景から、従来の折戸構造の問題点を解消し、板戸への別部材としての取手等の取付け加工の負担を軽減し、折戸の開閉をより小さな力でも簡便、かつ容易に行うことができ、また、すっきりとした外観とすることができ、しかも連結部への指はさみによる危険性の回避や連結部隙間の遮へい対策も容易とすることのできる、新しい折戸構造を提供することを課題としている。
【課題を解決するための手段】
【０００７】
本願発明の折戸構造は、上記の課題を解決するものとして以下のことを特徴としている。
【０００８】
第１：折戸連結部において、開閉のための手掛り部を有する縦側縁が少くとも一方の戸板木口に設けられており、前記手掛り部は、他方の戸板木口に対向する凹部を有している。
【０００９】
第２：手掛り部を有する縦側縁には、他方の戸板木口、もしくは相互に当接または近接対向する弾性体が設けられている。
【００１０】
第３：手掛り部の凹部は湾曲し、凹部の折戸表側に指係止用のくぼみを有している。
【００１１】
第４：縦側縁は、戸板側端部を挾持し、戸板背面側で蝶番を固定している。
【発明の効果】
【００１２】
上記のとおりの本願第１の発明によれば、従来の折戸構造の問題点を解消し、板戸への別部材としての取手等の取付け加工の負担を軽減し、連結部のセンター位置と手掛り部とは近接し、かつ縦側縁の全長位置に手掛り部があるため、折戸の開閉をより小さな力で任意の高さ位置でも簡便、かつ容易に行うことができ、また、すっきりとした外観とすることができる。また、第２の発明によれば、上記の効果に加えて、弾性体の存在によって、連結部への指はさみによる危険性の回避や連結部隙間の遮へい対策も可能となる。
【００１３】
さらに第３の発明によれば、湾曲した凹部と指係止用のくぼみの配設によって、折戸の開閉はさらに容易となる。
【００１４】
第４の発明によれば、縦側縁と戸板の一体的剛性が良好となり、蝶番の固定も容易となる。
【発明を実施するための最良の形態】
【００１５】
本願発明は上記のとおりの特徴をもつものであるが、以下にその実施の形態について説明する。
【００１６】
図１は、本願発明の折戸構造の一実施形態を部分断面とともに要部斜視図として例示したものである。この図１に例示した折戸構造では、隣接する戸板１Ａ，１Ｂが、蝶番２を設けた連結部４において、手掛り部５Ａを有する縦側縁５が戸板１Ａ，１Ｂの各々の木口に設けられている。そしてこの手掛り部５Ａは、各々他方の戸板木口に対向し、また相互にも対向する凹部を有している。
【００１７】
図２は、この実施形態について正面図を示したものである。戸板１Ａ，１Ｂの連結部４において、戸板１Ａ，１Ｂの木口に設けられた縦側縁５には上記の手掛り部５Ａが配設されている。
【００１８】
縦側縁５は、金属や樹脂、木質材等の各種であってよいが、好適には強度や成形加工性等の観点から、たとえばアルミニウム等の押出し成形品としての金属製とすることができる。このような縦側縁は、戸板１Ａ，１Ｂをパネル体等として構成する場合の縦枠材としての機能をもつこともでき、木質材や樹脂、金属等の戸板部材と一体化されることで戸板１Ａ，１Ｂを構成することができる。上記の手掛り部５Ａは、このような縦側縁に別体として配設されてもよいが、好適には、その不可分な要素として構成することができる。
【００１９】
以上のような手掛り部５Ａを有する縦側縁５は図２のように戸板１Ａ，１Ｂ木口の縦方向の全長に渡って設けることが好ましいが、折戸構造の機能や戸板１Ａ，１Ｂの強度等を損わない限り、外観意匠性等の観点から部分的に他の木口部構造を採用してもよい。
【００２０】
図１および図２においては、手掛り部５Ａを有する縦側縁５を、連結部４において隣接する戸板１Ａ，１Ｂの両者の対向する木口に設けた形態を示しているが、折戸の設置場所や用途目的によっては戸板１Ａ，１Ｂのいずれか一方への配設であってもよい。
【００２１】
縦側縁５に凹部として設けられている手掛り部５Ａについては、折戸を折り畳んで開く場合、すなわち、図１、そして横断面として示した図３のように矢印α方向の表側前方への引出し、そして折戸を閉じる場合の逆方向βへの押込みの際に手指がスムーズに挿入されて容易に操作できるように湾曲した内面を持つことが好ましい。また、本願発明の実施形態としては、折戸表側の凹部前方端部には指係止用のくぼみ５Ｂを有していることがさらに好ましい。
【００２２】
たとえば以上のように、折戸連結部４において、開閉のための手掛り部５Ａを有する縦側縁５が設けられており、手掛り部５Ａが他方の戸板木口に対向する凹部を有している折戸構造では、従来のように、戸板表面等に全く別部材としての取手を取付け加工する必要がなく、戸板１Ａ，１Ｂを形成する際の縦側縁５の配設時に手掛り部５Ａも設けられることになる。このため、折戸を形成する際の作業負担は従来に比べて大幅に軽減されることになる。また、手掛り部５Ａは、戸板１Ａ，１Ｂの木口に設置され、戸板１Ａ，１Ｂが折れることになる連結部４のセンター位置に近くなり、従来の戸板表側に突出した取手の場合に比べて折戸の開閉をより小さな力でも可能となる。しかも、従来のように戸板表側の特定箇所に固定された取手とは相違して、図２のように縦側縁の上下の任意の位置の手掛り部５Ａで開閉操作可能となるため、手の位置の低い子供や老人、あるいは手の位置の高い人であっても簡便、かつ容易に開閉操作が可能となる。そして、さらには、従来のように取手が戸板前方に突出することもないので、図２のように、折戸の外観をすっきりとした見栄えのよいものとすることができる。
【００２３】
また実施形態として手掛り部５Ａの凹部を湾曲とし、かつ、その戸板表面前方側端部に指係止用のくぼみ５Ｂを設ける場合には、開閉操作時に指が指係止用のくぼみ５Ｂに掛かるので、開閉操作時に指が滑ることもなく、またその際には指は、図３の部分拡大図である図４に矢印で示した方向にスムーズに湾曲面に沿って導かれ、操作はよりスムーズに容易となる。
【００２４】
そして、本願発明の折戸構造においては、その実施形態として、図１並びに図３と図４の断面図に例示したように、手掛り部５Ａを有する縦側縁５には、相互に、もしくは他方の戸板木口に対向する弾性体５Ｃ、すなわちクッション体を設けていることが好適に考慮される。
【００２５】
この弾性体５Ｃは、各種の樹脂フォーム、たとえばポリウレタンフォーム、ポリスチレンフォームや、ゴム、その他樹脂等により構成することができる。このような弾性体５Ｃの配設によって、指をはさみやすい連結部４に仮に指をはさみ込んだとしても、そのクッション作用により手指に傷を生じさせる危険性を回避することができる。また、この弾性体５Ｃを、相互に、あるいは他方の戸板木口に当接、もしくは近接させることで、遮へい作用を奏するものとし、戸板背後が透けて見えやすいという従来の問題点を解消することができる。
【００２６】
縦側縁５の戸板１Ａ，１Ｂへの取付け、さらには蝶番２の取付け固定については様々な形態であってよいが、たとえば好適な形態としては、図４の拡大断面図のように、縦側縁５は、戸板１Ｂを挾持できるように、手掛り部とは反対側であって、戸板表側の前方部に、戸板１Ｂのはずれ（脱落）防止用のつば部５Ｄを有するものとすることが考慮される。また、縦側縁５の背面側には、蝶番２を、ビス６等により固定することが考慮される。この固定は作業として容易である。
【００２７】
図３および図４の例においては、ビス穴５Ｅ，５Ｆにおいて蝶番２をビス６により固定するが、ビス穴５Ｆは戸板１Ｂへの固定用として使用してもよい。またビス穴５Ｇは戸板への固定用としている。このビス穴５Ｇの近傍には、折れ防止用の面取り部５Ｈを設けてもいる。
【００２８】
もちろんこれらは一例であって何らこの例に限定されるものではない。
【図面の簡単な説明】
【００２９】
【図１】本願発明の一実施形態を例示した部分断面要部斜視図である。
【図２】図１の実施形態について示した正面図である。
【図３】図１の実施形態の横断面図である。
【図４】図３の一部拡大断面図である。
【図５】従来の取手付き折戸を示した斜視図である。
【図６】従来の別の取手付き折戸を示した斜視図と要部横断面図である。
【符号の説明】
【００３０】
１Ａ，１Ｂ    戸板
２    蝶番
３    取手
４    連結部
５    縦側縁
５Ａ    手掛り部
５Ｂ    くぼみ
５Ｃ    弾性体
５Ｄ    つば部
５Ｅ，５Ｆ，５Ｇ    ビス穴
５Ｈ    面取り部
６    ビス
【図１】
2006226079.tif 000003
【図２】
2006226079.tif 000004
【図３】
2006226079.tif 000005
【図４】
2006226079.tif 000006
【図５】
2006226079.tif 000007
【図６】
2006226079.tif 000008